(57)【要約】【課題】ステップインタイプのバインディングに装着しても踵のブーツ及びボードへの強固な固定を可能とし、加えて、足の部位に応じて適度な固定強度で足をブーツに固定可能とするスノーボード用ブーツを提供する。【解決手段】ブーツ本体１の甲部Ｂから立ち上がり部Ｃの上端に至る部分に開閉部４を形成する。この開閉部４の甲部Ｂの部位を下開閉部４ａとする。開閉部４の立ち上がり部Ｃの部位を上開閉部４ｂとする。下開閉部４ａ及び上開閉部４ｂにそれぞれ別個の索条体を架け渡してブーツ本体１を締め付け自在にする。ブーツ本体１内部の踵部分Ｅの両側にそれぞれ下フック１７を設ける。下開閉部４ａの索条体を一方の下フック１７に引っ掛け、次いでブーツ本体１の甲部Ｂに架け渡して他方の下フック１７に引っ掛ける。【選択図】　　　　図１
2004041666.tif 000002
【特許請求の範囲】
【請求項１】
ブーツ本体の甲部から立ち上がり部の上端に至る部分に開閉部を形成し、この開閉部の甲部の部位を下開閉部とすると共に、開閉部の立ち上がり部の部位を上開閉部とし、下開閉部及び上開閉部にそれぞれ別個の索条体を架け渡してブーツ本体を締め付け自在にし、ブーツ本体内部の踵部分の両側にそれぞれ下フックを設けて、下開閉部の索条体を一方の下フックに引っ掛け、次いでブーツ本体の甲部に架け渡して他方の下フックに引っ掛けるようにし、ブーツ本体内部のふくらはぎ部分の両側にそれぞれ上フックを設け、上開閉部の索条体を一方の上フックに引っ掛け、次いでブーツ本体の立ち上がり部に架け渡して他方の上フックに引っ掛けるようにしたことを特徴とするスノーボード用ブーツ。
【請求項２】
各索条体をワイヤで構成し、このワイヤの一端をブーツ本体に固定すると共に、ワイヤの他端をブーツ本体に固定したワイヤ巻取り装置によって巻き取り自在にしたことを特徴とする請求項１に記載のスノーボード用ブーツ。
【請求項３】
上記ワイヤ巻取り装置を、ワイヤの自由端を保持して巻き付ける巻胴部と、巻胴部の回転方向をワイヤの巻取り方向の一方向に規制するラチェット機構と、巻胴部を回転操作するハンドルとを有して構成したことを特徴とする請求項２に記載のスノーボード用ブーツ。
【請求項４】
索条体がブーツ本体を締め付けたときにくるぶしを踵方向に押さえ付けるくるぶし押さえ具を、ブーツ本体内部に設けたことを特徴とする請求項１に記載のスノーボード用ブーツ。
【請求項５】
くるぶし押さえ具の内部に下開閉部の索条体を挿通し、索条体がブーツ本体を締め付けたときにくるぶしを踵方向に押さえ付けるようにしたことを特徴とする請求項４に記載のスノーボード用ブーツ。
【請求項６】
ブーツ本体をアウターブーツにインナーブーツを内包して構成し、インナーブーツの甲部から立ち上がり部の上端に至る部分に切り込み部を形成し、この切り込み部に索条体を架け渡してインナーブーツを締め付け自在にし、アウターブーツの甲部から立ち上がり部の上端に至る部分に開閉部を形成し、アウターブーツの開閉部の下開閉部及び上開閉部にそれぞれ別個の索条体を架け渡してアウターブーツを締め付け自在にしたことを特徴とする請求項１に記載のスノーボード用ブーツ。
【発明の詳細な説明】
【０００１】
【発明の属する技術分野】
本発明は、スノーボード用ブーツに関する発明であり、詳しくは足のブーツ本体への固定の技術に係る発明である。
【０００２】
【従来の技術】
「スノーボード」というスポーツは、ボードの上に装着したバインディングにブーツを固定することで競技者の足とボードとを一体化し、競技者が身体の体重を前後左右に移動させたりボードの雪面への接地角度を変えたりして、ターンや停止、またはジャンプ等の動作を交えながら雪面を滑降するようなスポーツである。したがって、競技者が思いのままにボードを操りスノーボードを楽しむには、足とボードとの一体性、ひいては足のブーツへの強固な固定が不可欠とされる。特に、ひざを曲げて雪面に対してつま先を立てるように足を動作させたとき、つまり踵に競技者の体重が乗らないときにも、この足の動作に追従して雪面にエッジを効かせるように確実にボードを立てることができるよう、踵とブーツとの固定が強固に為されることが要求されている。
【０００３】
従来から、図１７に示すように、一般的なスノーボード用ブーツとしては、ブーツ本体１の甲部Ｂから立ち上がり部Ｃの上端に至る部分に開閉部４を形成し、この開閉部４に靴紐３９で構成される索条体を架け渡して構成されたものがある。このブーツでは、靴紐３９をブーツ本体１に締め上げることで、開閉部４を左右に閉じるようにして足をブーツ本体１に固定させるようにしているが、せいぜいブーツから足が抜け落ちない程度にしか固定できない。しかして、このようなブーツは、甲部Ｂを締め付けるアンクルストラップ４１やつま先部Ａを締め付けるトゥストラップ４２を備えたバインディング４０を介することで、ボードに装着することが一般的であり、このバインディング４０のアンクルストラップ４１を強く締め付けることで、踵のブーツ本体１及びボードへの強固な固定を行わせるものであった。
【０００４】
【発明が解決しようとする課題】
しかし、近年、バインディングの種類として上述したバインディング４０とは異なるステップインタイプのバインディング５０が主流になりつつある（図１１参照）。このステップインタイプのバインディング５０は、ボード上に固定された基台５１の上に上方から押し付けるようにブーツ本体１を載置したときに、ブーツ本体１のソール部Ｄと基台５１との間に設けられた締結具（図示せず）の締結により、ブーツ本体１のソール部Ｄと基台５１とがワンタッチで締結されるようになったものである。つまり、このステップインタイプのバインディング５０は、上述した各ストラップ４１，４２を締め付けてブーツをボードに固定するタイプのバインディング４０に比べて、各ストラップ４１，４２を手でいちいち締め付けないで済むようになっていることで、ブーツのボードへの着脱の容易化が図られているのである。しかしながら、このステップインタイプのバインディング５０では、ブーツのボードへの着脱の容易化が図られる反面、各ストラップ４１，４２にてブーツ本体１を締め付けることが無いため、踵をブーツ本体１及びボードに強固に固定できないという問題を抱えるものであった。しかして、このステップインタイプのバインディング５０を介してブーツをボードに装着したときにも、踵をブーツ及びボードに強固に固定できるようなブーツの開発が切望されるものであった。
【０００５】
また、スノーボードは競技者に激しい運動動作を課すスポーツであり、この競技者の運動動作は足の部位によって異なることから、競技者の激しい運動動作によっては足の部位に応じてブーツ本体１を締め上げる靴紐３９に緩みを生じさせてしまう場合がある。つまり、足のブーツ本体１への必要固定強度は足の部位に応じて異なるのである。しかしながら、上述したブーツでは、靴紐３９の締め付けによって足全体を一律にブーツ本体１に固定するものであるから、足の部位によって異なる足のブーツ本体１への必要固定強度に合わせて効率よく足をブーツ本体１に固定することはできないものであった。そもそも、靴紐３９をブーツ本体１にきつく締め上げて足をブーツ本体１に強固に固定することは、足に多大な負担がかかる（うっ血等が生じる）ことになるのであり、この観点からも足の部位に合わせて必要な固定強度で足をブーツ本体１に固定することが好ましく、これを可能にするブーツの開発が切望されるものであった。
【０００６】
本発明は上記の点に鑑みてなされたものであり、ステップインタイプのバインディングに装着しても踵のブーツ及びボードへの強固な固定を可能とし、加えて、足の部位に応じて適度な固定強度で足をブーツに固定可能とするスノーボード用ブーツを提供することを課題とするものである。
【０００７】
【課題を解決するための手段】
上記課題を解決するために本発明に係るスノーボード用ブーツは、ブーツ本体１の甲部Ｂから立ち上がり部Ｃの上端に至る部分に開閉部４を形成し、この開閉部４の甲部Ｂの部位を下開閉部４ａとすると共に、開閉部４の立ち上がり部Ｃの部位を上開閉部４ｂとし、下開閉部４ａ及び上開閉部４ｂにそれぞれ別個の索条体を架け渡してブーツ本体１を締め付け自在にし、ブーツ本体１内部の踵部分Ｅの両側にそれぞれ下フック１７を設けて、下開閉部４ａの索条体を一方の下フック１７に引っ掛け、次いでブーツ本体１の甲部Ｂに架け渡して他方の下フック１７に引っ掛けるようにし、ブーツ本体１内部のふくらはぎ部分Ｆの両側にそれぞれ上フック１８を設け、上開閉部４ｂの索条体を一方の上フック１８に引っ掛け、次いでブーツ本体１の立ち上がり部Ｃに架け渡して他方の上フック１８に引っ掛けるようにしたことを特徴とする。これによると、下開閉部４ａ及び上開閉部４ｂのそれぞれの索条体によってブーツ本体１を締め付けることができ、つまりブーツ本体１内部に挿入した足は下開閉部４ａの索条体及び上開閉部４ｂの索条体によって別々にブーツ本体１に固定されるのであり、足の部位によって異なる足のブーツ本体１への必要固定強度に合わせて効率よく足をブーツ本体１に固定することができるのである。更に、下開閉部４ａの索条体でブーツ本体１を締め付けると、ブーツ本体１内に挿入した足の甲をブーツ本体１内部の踵部分Ｅに向けて押圧させることができ、また、上開閉部４ｂの索条体でブーツ本体１を締め付けると、ブーツ本体１内に挿入した足のすねをブーツ本体１内部のふくらはぎ部分Ｆに向けて押圧させることができるので、足のすねや踵のブーツ本体１への固定を強固に行わせることができるのである。特に、ブーツを履いた時点で足の踵をブーツ本体１に強固に固定できるので、ストラップ４１，４２の無いステップインタイプのバインディング５０を介してブーツをボードに装着する際にも、ボードに踵を強固に固定させることができるのである。
【０００８】
また、各索条体をワイヤ６で構成し、このワイヤ６の一端をブーツ本体１に固定すると共に、ワイヤ６の他端をブーツ本体１に固定したワイヤ巻取り装置７によって巻き取り自在にしたことも好ましい。これによると、索条体のブーツ本体１への締め付けが索条体を構成せるワイヤ６の巻取り機構にて行われ、簡単且つスムーズな操作で索条体による足のブーツ本体１への固定を行わせることができる。
【０００９】
また、上記ワイヤ巻取り装置７を、ワイヤ６の自由端を保持して巻き付ける巻胴部２４と、巻胴部２４の回転方向をワイヤ６の巻取り方向の一方向に規制するラチェット機構と、巻胴部２４を回転操作するハンドル２９とを有して構成したことも好ましい。これによると、上記構成を備えたワイヤ巻取り装置７では、ハンドル２９を操作して巻胴部２４を回転させてワイヤ６を巻き取るのであるが、このとき巻胴部２４はラチェット機構によって戻り防止が施され、足のブーツ本体１への確実な固定を維持できるのである。
【００１０】
また、索条体がブーツ本体１を締め付けたときにくるぶしを踵方向に押さえ付けるくるぶし押さえ具２２を、ブーツ本体１内部に設けたことも好ましい。これによると、索条体がブーツ本体１を締め付けたときには、下開閉部４ａの索条体に加えて、くるぶし押さえ具２２によっても、ブーツ本体１内に挿入した足を踵方向に押さえ付けることができるのであり、踵のブーツ本体１への固定を更に強固に行わせることができる。
【００１１】
また、くるぶし押さえ具２２の内部に下開閉部４の索条体を挿通し、索条体がブーツ本体１を締め付けたときにくるぶしを踵方向に押さえ付けるようにしたことも好ましい。これによると、ブーツ本体１を締め付けた索条体はブーツ本体１の内方に向って位置をずらすようになるが、くるぶし押さえ具２２も上記索条体に従って積極的にブーツ本体１の内方に向って位置をずらすようにでき、くるぶし押さえ具２２のくるぶしへの押圧をより効果的に行わせることができる。
【００１２】
また、ブーツ本体１をアウターブーツ２にインナーブーツ３を内包して構成し、インナーブーツ３の甲部Ｂから立ち上がり部Ｃの上端に至る部分に切り込み部３０を形成し、この切り込み部３０に索条体を架け渡してインナーブーツ３を締め付け自在にし、アウターブーツ２の甲部Ｂから立ち上がり部Ｃの上端に至る部分に開閉部４を形成し、アウターブーツ２の開閉部４の下開閉部４ａ及び上開閉部４ｂにそれぞれ別個の索条体を架け渡してアウターブーツ２を締め付け自在にしたことも好ましい。これによると、足のブーツ本体１への固定が、アウターブーツ２の開閉部４での索条体の締め付けに加えて、インナーブーツ３の切り込み部３０での索条体の締め付けによっても行え、足のブーツ本体１への固定を更に強固に行わせることができる。
【００１３】
なお、ブーツ本体１をアウターブーツ２にインナーブーツ３を内包して構成し、インナーブーツ３の甲部Ｂから立ち上がり部Ｃの上端に至る部分に開閉部４を形成し、インナーブーツ３の開閉部４の下開閉部４ａ及び上開閉部４ｂにそれぞれ別個の索条体を架け渡してインナーブーツ３を締め付け自在にし、アウターブーツ２の甲部Ｂから立ち上がり部Ｃの上端に至る部分に切り込み部３０を形成し、この切り込み部３０に索条体を架け渡してアウターブーツ２を締め付け自在にすることも好ましい。これによっても、足のブーツ本体１への固定が、インナーブーツ３の開閉部４での索条体の締め付けとアウターブーツ２の切り込み部３０での索条体の締め付けとで行われ、足のブーツ本体１への固定を更に強固に行わせることができるのである。
【００１４】
【発明の実施の形態】
以下、本発明を添付図面に示す実施形態に基づいて説明する。
【００１５】
図１乃至図１１に本発明の実施の形態の例を示す。本例のスノーボード用ブーツにあっては、アウターブーツ２の内部にインナーブーツ３を挿着してブーツ本体１が構成されている。このブーツ本体１は、ブーツ本体１内に挿入した足を基準にして、足のつま先部分が位置するつま先部Ａ、足の甲が位置する甲部Ｂ、足のくるぶしより上方の部位が位置する立ち上がり部Ｃを有している。なお、ブーツ本体１内に挿入した足の踵が位置する部位（ソール部Ｄの後端部分）を踵部分Ｅと称し、また、ブーツ本体１内に挿入した足のふくらはぎが位置する部位（立ち上がり部Ｃの背部）をふくらはぎ部分Ｆと称する。
【００１６】
アウターブーツ２は、インナーブーツ３に挿入した足を衝撃等から保護するためにインナーブーツ３に比べて硬質の材料で形成されている。特に、アウターブーツ２のソール部Ｄは、他の部分に比べ、肉厚を厚くしたり硬い材料を用いた補強部１４で構成されている。このアウターブーツ２における甲部Ｂから立ち上がり部Ｃの上端に至る部分には開閉部４が形成されている。この開閉部４とは、アウターブーツ２を左右に開閉してインナーブーツ３をアウターブーツ２内に挿入できるようにした開口状の切れ目である。そして、この開閉部４の内部には開閉部４からブーツ本体１内部に泥等が侵入するのを防止するタン５が設けられている。なお、開閉部４の甲部Ｂの部位を下開閉部４ａと称し、開閉部４の立ち上がり部Ｃの部位を上開閉部４ｂと称する。
【００１７】
この開閉部４には金属製のワイヤ６で構成した索条体が開閉部４の側縁で折り返されながら左右に幾重にも架け渡されており、このワイヤ６を締め付けることで開閉部４の左右幅が狭まってブーツ本体１が締め付けられるようにされている。特に本例では、下開閉部４ａ及び上開閉部４ｂにそれぞれ別個のワイヤ６ａ，６ｂを架け渡し、甲部Ｂ及び立ち上がり部Ｃでブーツ本体１を締め付けるようにしている。なお、下開閉部４ａに架設されるワイヤ６は下ワイヤ６ａと称し、上開閉部４ｂに架設されるワイヤ６は上ワイヤ６ｂと称する。このワイヤ６はそれぞれ、一端を固定端としてアウターブーツ２に固定されると共に、他端を自由端としてアウターブーツ２に固定したワイヤ巻取り装置７に巻取り自在にされるものを用いている。
【００１８】
ここで、ワイヤ６の固定端のアウターブーツ２への固定は、図３に示すスタート具８を用いて行われている。このスタート具８は、１対の半体８ａ，８ａをヒンジ部８ｂで連結し、一方の半体８ａにワイヤ６を挿入するワイヤ配置溝９を円環状に穿設し、ヒンジ部８ｂの屈曲で半体同士８ａ，８ａを合わせて締結できるように構成されたものであり、ワイヤ６の固定端に形成した円環１０をこの円環状の溝であるワイヤ配置溝９に挿入すると共に、ヒンジ部８ｂを屈曲させて半体同士８ａ，８ａを締結することで、ワイヤ６の固定端にスタート具８が強固に取り付けられるのである。なお、半体同士８ａ，８ａの締結は、両半体８ａ，８ａの対向面に形成した係合突起１１と係止孔１２との引っ掛け係合で行われる。そして、このスタート具８をアウターブーツ２の内部に埋設させることでワイヤ６の固定端をアウターブーツ２に固定させている。
【００１９】
また、開閉部４の側縁でのワイヤ６の折り返しは、図４に示すように、内部にワイヤ６を貫通せるＵ字状の管部材で構成された折り返し具１３を用いて行われる。この折り返し具１３は、ワイヤ６が塑性変形を伴うように折れ曲がることを防止した部材であり、開閉部４の側縁にワイヤ６の挿通口を開口させつつアウターブーツ２内に埋設されている。なお、この折り返し具１３は開閉部４の側縁における広範囲に亙って埋設されることが好ましく、これによると、ワイヤ６と開閉部４の側縁との一体感が向上し、ワイヤ６を締め付けたときに、開閉部４の側縁同士をむらなく近接させて開閉部４を外観よく閉じ得るようできるのである。
【００２０】
下ワイヤ６ａは、その固定端がアウターブーツ２の甲部Ｂとつま先部Ａとの境目部分の下開閉部４ａの側縁部分に固定されており、下開閉部４ａの両側縁で折り返されながらブーツ本体１の上方に向って幾重にも下開閉部４ａに架け渡され、アウターブーツ２の立ち上がり部Ｃの下部に配置された下ワイヤ巻取り装置７ａに至るように配線されている。なお、この下ワイヤ６ａは下開閉部４ａに架け渡されて下開閉部４ａを閉じるようにブーツ本体１を締め付けるのであるが、下ワイヤ６ａの締め付け力をアウターブーツ２の甲部Ｂとソール部Ｄとの間に効率よく作用させるために、アウターブーツ２の肉厚を厚くしたり硬い材料から成る補強部１４がアウターブーツ２の甲部Ｂとソール部Ｄとを連結するように適宜設けられている。
【００２１】
この下ワイヤ６ａは、下開閉部４ａに架け渡されて下開閉部４ａを閉じるようにブーツ本体１を締め付ける機能を有しているが、上記機能に加えて、インナーブーツ３に挿入した足の踵をブーツ本体１に強固に固定できる機能をも有している。つまり、ブーツ本体１内部の踵部分Ｅの両側にはそれぞれ下フック１７が設けられており、下開閉部４ａに架け渡した下ワイヤ６ａはその一部を、一方の下フック１７に引っ掛け、次いで下開閉部４ａに架け渡して他方の下フック１７に引っ掛けるようにして配線させてあり、下ワイヤ６ａをブーツ本体１に締め付けたときには、この部分の下ワイヤ６ａが甲から踵方向に向って足を締め付け、この結果、踵のブーツ本体１への強固な固定が行われるようになっているのである。なお、この下ワイヤ６ａにおける踵のブーツ本体１への強固な固定を行わせる部分は踵固定部と称する。ここで、下フック１７は内部に下ワイヤ６ａを挿通せるＵ字状の管部材で構成されていて、下ワイヤ６ａの塑性変形を伴う折り曲げを回避できるようにされていると共に、アウターブーツ２のソール部Ｄの補強部１４に装着されていて、下ワイヤ６ａが引っ掛かり下フック１７を上方に引っ張ろうとする力に対して高い強度を備えるようにされている。また、下ワイヤ６ａの踵固定部であって、両方の下フック１７，１７の間で下開閉部４ａに架け渡される部分にあっては、後述する下押圧部材１５のワイヤ挿通孔１９を貫通するように配線されている。また、下ワイヤ６ａの踵固定部における下押圧部材１５から他方の下フック１７に至る途中の経路では、後述するくるぶし押さえ具２２に設けたワイヤ挿通孔２２ａを貫通するように配線されている。
【００２２】
一方、上ワイヤ６ｂは、その固定端がアウターブーツ２の立ち上がり部Ｃと甲部Ｂとの境目部分の上開閉部４ｂの側縁部分に固定されており、上開閉部４ｂの両側縁で折り返されながらブーツ本体１の上方に向って幾重にも上開閉部４ｂに架け渡され、アウターブーツ２の立ち上がり部Ｃの上部に配置された上ワイヤ巻取り装置７ｂに至るように配線されている。なお、下ワイヤ巻取り装置７ａや上ワイヤ巻取り装置７ｂは、アウターブーツ２の立ち上がり部Ｃに剛性を備えさせる補強部１４にそれぞれ装着されていて、アウターブーツ２に強固に装着されている。
【００２３】
この上ワイヤ６ｂは、上開閉部４ｂに架け渡されて上開閉部４ｂを閉じるようにブーツ本体１を締め付ける機能を有しているが、上記機能に加えて、インナーブーツ３に挿入した足のすねをブーツ本体１に強固に固定できる機能をも有している。つまり、ブーツ本体１内部の立ち上がり部Ｃの背部の両側にはそれぞれ上フック１８が設けられており、上開閉部４ｂに架け渡した上ワイヤ６ｂはその一部を、一方の上フック１８に引っ掛け、次いで上開閉部４ｂに架け渡して他方の上フック１８に引っ掛けるように配線させてあり、上ワイヤ６ｂをブーツ本体１に締め付けたときには、この部分の上ワイヤ６ｂが足のすねをブーツ本体１内部のふくらばぎ部分Ｆの方向に向って締め付け、この結果、足のすねのブーツ本体１への強固な固定が行われるようになっている。なお、この上ワイヤ６ｂにおける足のすねのブーツ本体１への強固な固定を行わせる部分はすね固定部と称する。ここで、上フック１８は、内部に下ワイヤ６ａを貫通せるＵ字状の管部材で構成されていて、下ワイヤ６ａの塑性変形を伴う折り曲げを避けるようにされていると共に、アウターブーツ２の立ち上がり部Ｃの補強部１４に装着されていて、上ワイヤ６ｂが引っ掛かり上フック１８を前方に引っ張ろうとする力に対して高い強度を備えるようにされている。また、上ワイヤ６ｂのすね固定部であって、両方の上フック１８，１８の間で上開閉部４ｂに架け渡される部分にあっては、後述する上押圧部材１６のワイヤ挿通孔１９を貫通するように配線されている。
【００２４】
上記下押圧部材１５や上押圧部材１６は、図５に示すように、下ワイヤ６ａの踵固定部や上ワイヤ６ｂのすね固定部による足への締め付け力を足の局所に集中させず、足を柔らかく締め付け得るようにした部材である。そして、この下押圧部材１５や上押圧部材１６は、それぞれ硬質の樹脂により形成された主体の内部にワイヤ６が挿通されるワイヤ挿通孔１９が設けられ、そしてこの主体の内側面には軟質樹脂により成るクッション材（図示せず）が備えられて構成されている。
【００２５】
ワイヤ挿通孔１９は、本例では、踵固定部やすね固定部以外の部分で開閉部４に架け渡されたワイヤ６が挿通される第１挿通孔１９ａと、踵固定部やすね固定部で開閉部４に架け渡されたワイヤ６が挿通される第２挿通孔１９ｂとから構成されている。この第１挿通孔１９ａにワイヤ６を挿通させると、ワイヤ６による開閉部４の開閉にタン５を連動させ得るようになっている。つまり、ワイヤ６が開閉部４を締め付けたときには、タン５が開閉部４を内方から閉塞するようになっている。また、上記第２挿通孔１９ｂにワイヤ６を挿通すると、ワイヤ６による踵やすねのブーツ本体１への固定にタン５を連動させ得るようになっている。つまり、下ワイヤ６ａをアウターブーツ２に締め付けたときには、下押圧部材１５の配置位置近傍のタン５が足の甲をブーツ本体１の踵部分Ｅに向って押圧するようになっている。このように下ワイヤ６ａの踵固定部は下押圧部材１５を介して踵をブーツ本体１の踵部分Ｅに固定するのであるが、このとき下押圧部材１５によると下ワイヤ６ａを足に食い込ませることなく、柔らかく足をブーツ本体１に固定することができるのである。また、上ワイヤ６ｂをアウターブーツ２に締め付けたときには、上押圧部材１６の配置位置近傍のタン５が足のすねをブーツ本体１のふくらはぎ部分Ｆに向って押圧するようになっている。このように上ワイヤ６ｂのすね固定部は上押圧部材１６を介して足のすねをブーツ本体１のふくらはぎ部分Ｆに固定するのであるが、このとき上押圧部材１６によると上ワイヤ６ｂを足に食い込ませることなく、柔らかく足をブーツ本体１に固定することができるのである。
【００２６】
ここで、下押圧部材１５は立ち上がり部Ｃと甲部Ｂとの境目近傍の下開閉部４ａに位置するタン５の外面側に取り付けられており、上押圧部材１６は立ち上がり部Ｃの上部の上開閉部４ｂに位置するタン５の外面側に取り付けられているが、この下押圧部材１５及び上押圧部材１６は、形や大きさの違う個々の競技者の足に合わせ、大きさや形状が異なるものに適宜取替可能なようにタン５に着脱可能にすることも好ましい。特に、第１挿通孔１９ａと第２挿通孔１９ｂとの間の寸法を変化させた下押圧部材１５や上押圧部材１６を数種類用意し、個々の競技者の足の寸法に合わせて取替可能にすることが好ましい。なお、図示はしないが、適宜設計変更を行い、下押圧部材１５や上押圧部材１６をアウターブーツ２とインナーブーツ３との間に配置する、つまり下押圧部材１５や上押圧部材１６をインナーブーツ３の外側面に沿わせるように配置することも好ましい。これによると、下ワイヤ６ａの踵固定部や上ワイヤ６ｂのすね固定部による足の締め付け力をより直接的に足に作用させることができ、足をより強固にブーツ本体１に締め付けることができるのである。
【００２７】
また、くるぶし押さえ具２２は、図６に示すように、アウターブーツ２の内面が内方に盛り上がるようにアウターブーツ２の内部に埋設され、下ワイヤ６ａがブーツ本体１を締め付けたときにブーツ本体１内に挿入した足のくるぶしを踵方向に向って押圧する部材である。詳述すると、このくるぶし押さえ具２２には、足のくるぶしに沿わせ得るようにＣ字状のくるぶし押圧部２３を有しており、このくるぶし押圧部２３を上方から足のくるぶしに押圧させ、足のくるぶし部分をブーツ本体１の踵部分Ｅに向って押圧できるようにされている。しかして、下ワイヤ６ａがブーツ本体１を締め付けたときには、下ワイヤ６ａの踵固定部に加えてこのくるぶし押さえ具２２によっても、ブーツ本体１内に挿入した足をブーツ本体１の踵部分Ｅに押さえ付けることができるのであり、踵のブーツ本体１への強固な固定を補完することができるのである。更に言うと、くるぶし押さえ具２２は内部を貫通するように設けたワイヤ挿通孔２２ａに下ワイヤ６ａを挿通させているので、ブーツ本体１を締め付けた下ワイヤ６ａはブーツ本体１の内方に向って位置をずらすようになるのであるが、くるぶし押さえ具２２も上記下ワイヤ６ａに従って積極的にブーツ本体１の内方に向って位置をずらすようにでき、くるぶし押さえ具２２の足のくるぶしへの押圧をより効果的に行わせることが図られているのである。なお、このくるぶし押さえ具２２も形状や大きさの異なる個々の競技者の足に合わせて取替可能にしておくことも好ましい。
【００２８】
他方の下フック１７や他方の上フック１８を通った下ワイヤ６ａや上ワイヤ６ｂの自由端は、インナーブーツ３との摩擦を避けるようアウターブーツ２の内部を挿通してワイヤ巻取り装置７に至っている。上述したように、各ワイヤ６（６ａ，６ｂ）をブーツ本体１に締め付けるには各ワイヤ巻取り装置７（７ａ，７ｂ）にて行われる。
【００２９】
このワイヤ巻取り装置７は、たとえば、図７に示すように、ワイヤ６の自由端を保持して巻き付ける巻胴部２４と、この巻胴部２４を回転自在に収納する本体部２５とを有し、巻胴部２４の回転方向をワイヤ６の巻取り方向の一方向に規制するラチェット機構を本体部２５と巻胴部２４との間に介装して構成されている。具体的にこのラチェット機構は、巻胴部２４に一体に設けたラチェット歯形の歯車２６と本体部２５にバネ（図示せず）を介して設けた係止爪２７とで成り、歯車２６への係止爪２７の弾接係止によって巻胴部２４にもどり防止の回転規制が施されたものである。また、巻胴部２４はその回動軸の軸線方向にスライド移動可能にされるようにバネ２８を介装して本体部２５に収納されており、このバネ２８の付勢に抗って巻胴部２４をその回動軸の軸線方向にずらすと、歯車２６と係止爪２７との係止が外れるようにされている。なお、巻胴部２４の操作はアウターブーツ２の外方に露出したハンドル２９によって行われる。
【００３０】
また、図８〜図１０には、ワイヤ巻取り装置７の他例を示す。この例のワイヤ巻取り装置７も、先に示した装置同様、ワイヤ６の自由端を保持して巻き付ける巻胴部２４と、巻胴部２４等を収納する本体部２５と、巻胴部２４の回転方向をワイヤ６の巻取り方向（図８中矢印ａ）の一方向に規制するラチェット機構と、巻胴部２４を回転操作するハンドル２９とを備えて構成されている。
【００３１】
詳述すると、巻胴部２４は、ワイヤ６を巻回する軸部２４ａと、軸部２４ａの長手方向の両端部分で軸部２４ａの径方向に突設した１対の鍔部２４ｂとを有して構成されている。ここで、鍔部２４ｂの外周面には、緩斜面２６ａと急斜面２６ｂとを交互に連続させて成るラチェット歯形の歯車２６が形成されている。なお、軸部２４ａにはワイヤ６の自由端を固定する固定具４３が取付けられている。この固定具４３はスタート具８と同様の構造を有している。
【００３２】
本体部２５は、横片２５ａの幅方向両端から１対の縦片２５ｂを立設して構成されており、この１対の縦片２５ｂ間に上記巻胴部２４が回転自在に枢支されて収納される。なお、本体部２５の横片２５ａの長手方向の端部には、カバー体３８を係止するリング部２５ｃが形成されている。また、本体部２５の横片２５ａの長手方向の両端部には、本体部２５をアウターブーツ２に固定する固定具（図示せず）を挿通する挿通孔２５ｄが形成されている。
【００３３】
この本体部２５には、巻胴部２４を間に挟んで、ハンドル２９と、歯車２６に噛合して巻胴部２４の固定を行う係止爪２７とが、それぞれバネ３６，３７を介して回転自在に枢支されて収納される。なお、図８中２９ｃはハンドル２９を本体部２５に枢支する枢支軸であり、図８中２７ｃは係止爪２７を本体部２５に枢支する枢支軸である。ここで、バネ３６，３７は、各枢支軸２７ｃ，２９ｃに巻装されたコイルバネであり、ハンドル２９及び係止爪２７と本体部２５との間に介装されてハンドル２９や係止爪２７を一方の回転方向に付勢する。
【００３４】
ハンドル２９は、本体部２５への枢支部分を間に有して、一端に指を引っ掛け易い形状にした把持部２９ａを有し、他端に引っ掛け爪部２９ｂが形成されて構成されている。なお、この把持部２９ａと本体部２５への枢支部分との距離は、本体部２５への枢支部分と引っ掛け爪部２９ｂとの距離よりも長く設定されている。そして、このハンドル２９は、バネ３６の付勢によって、通常、引っ掛け爪部２９ｂと歯車２６とが噛み合わないよう、本体部２５の上方位置に位置されている［図９中実線のハンドル２９，図１０（ａ）］。しかし、把持部２９ａを持って、バネ３６の付勢に抗って、本体部２５への枢支部分に対して回転操作させたときには、引っ掛け爪部２９ｂが歯車２６に噛み合い、巻胴部２４をワイヤ６の巻取り方向に回転させるようになっている［図９中破線のハンドル２９，図１０（ｂ）］。なお、このハンドル２９には、係止爪２７の当接爪部２７ｂを引っ掛ける爪引っ掛け部２９ｄが形成されている。
【００３５】
また、係止爪２７は、本体部２５への枢支部分を間に有して、一端に指を引っ掛け易い形状にした把持部２７ａを有し、他端に当接爪部２７ｂが形成されて構成されている。この係止爪２７はバネ３７の付勢によって、通常、巻胴部２４の歯車２６に当接爪部２７ｂが弾接して噛み合うようにされている。そして、この係止爪２７によって巻胴部２４はワイヤ６の巻取り方向にのみ回転されるようになっている。つまり、歯車２６に弾接した係止爪２７は、ラチェット歯形の歯車２６によって、巻胴部２４がワイヤ６の巻取り方向に回転するときには、当接爪部２７ｂが緩斜面２６ａを登って自然に係合が外れ、巻胴部２４の回転を阻害しないようにしており（図９中破線の係止爪２７）、一方、巻胴部２４がワイヤ６の巻取り方向の反対方向に回転しようとするときには、当接爪部２７ｂが急斜面２６ｂに強く係合し、巻胴部２４のワイヤ６の緩み方向への回転を防止するようにされている（図９中実線の係止爪２７）。すなわち、巻胴部２４に一体に設けたラチェット歯形の歯車２６と、この歯車２６に弾接係止する係止爪２７とによって、巻胴部２４をワイヤ６の巻取り方向のみに回転自在にさせるラチェット機構が構成されているのである。巻胴部２４のワイヤ６の巻取りを緩めるときには、この係止爪２７の把持部２７ａを持って、バネ３７の付勢に抗って本体部２５に対して回転操作させ、当接爪部２７ｂの歯車２６への弾接係止を解除すればよい。なお、そのまま係止爪２７の当接爪部２７ｂをハンドル２９の爪引っ掛け部２９ｄに係合させると、ワイヤ６を緩めて足の締め付け解除の状態を維持するようにできる（図９中一点鎖線の係止爪２７）。
【００３６】
また、本体部２５には、ワイヤ６を巻胴部２４の軸部２４ａにスムーズに導入させるカバー体３８が取付けられる。このカバー体３８は、巻胴部２４の鍔部２４ｂ間の軸部２４ａを覆うカバー本体部３８ａと、巻胴部２４からリング部２５ｃに至る部位の本体部２５を覆うカバー延設部３８ｂとが一体に形成されて構成されている。なお、ワイヤ６のワイヤ巻取り装置７内への導入口となるカバー延設部３８ｂの先端部位には、リング部２５ｃと嵌合する溝部３８ｃが形成されている。つまり、ワイヤ巻取り装置７内に導入されたワイヤ６は、本体部２５の横片２５ａとカバー体３８との間に位置されて巻胴部２４の軸部２４ａに至るようにされており、ハンドル２９等の他の部材に接触しないよう保護されている。
【００３７】
そして、このワイヤ巻取り装置７をアウターブーツ２に取り付けた状態では、ハンドル２９の把持部２９ａと係止爪２７の把持部２７ａとが外方に露出した状態になっている。このワイヤ巻取り装置７では、前例のワイヤ巻取り装置７同様、ワイヤ６を巻き取るのにはハンドル２９を操作するのであるが、この例のハンドル２９は上述したように、把持部２９ａと本体部２５への枢支部分との距離が、本体部２５への枢支部分と引っ掛け爪部２９ｂとの距離よりも長く設定されていることから、てこの原理を利用して巻胴部２４を回転させる機構になっており、前例のワイヤ巻取り装置７に比べても、より軽い力でワイヤ６を巻取ることができるようになっているのである。
【００３８】
上述した一例または他例のワイヤ巻取り装置７は、下ワイヤ巻取り装置７ａや上ワイヤ巻取り装置７ｂに用いられるものであるが、下ワイヤ巻取り装置７ａの巻胴部２４を回転させるようにハンドル２９を操作すると、下ワイヤ６ａが上記巻胴部２４に巻き取られてブーツ本体１を徐々に締め付け、踵をブーツ本体１の踵部分Ｅに密着させるよう足をブーツ本体１に強固に固定できるのである。また、上ワイヤ巻取り装置７ｂの巻胴部２４を回転させるようにハンドル２９を操作すると、上ワイヤ６ｂが上記巻胴部２４に巻き取られてブーツ本体１を徐々に締め付け、そして足のすねをブーツ本体１の立ち上がり部Ｃに密着させるように足をブーツ本体１に強固に固定できるのである。更に、前例のワイヤ巻取り装置７ではハンドル２９を押圧または引張るように操作して巻胴部２４をその回動軸の軸線方向にずらすことで、また後例のワイヤ巻取り装置７では係止爪２７の把持部２７ａを持って係止爪２７を回転操作することで、歯車２６と係止爪２７との弾接係止を解除できてワイヤ６の巻胴部２４への巻付状態を緩ませることができ、ワイヤ６による足の締め付けをワンタッチで解除できるようになっている。このように、このワイヤ巻取り装置７によってワイヤ６の締付け及び解除を行うようにすると、アウターブーツ２の外からの操作で簡単且つすばやく足の締め付けを調整できるのである。
【００３９】
上述したように本例のスノーボード用ブーツでは、ブーツ本体１の甲部Ｂから立ち上がり部Ｃの上端に至る部分に開閉部４を形成し、この開閉部４の甲部Ｂの部位を下開閉部４ａとすると共に、開閉部４の立ち上がり部の部位を上開閉部４ｂとし、下開閉部４ａ及び上開閉部４ｂにそれぞれ別個のワイヤ６（下ワイヤ６ａ，上ワイヤ６ｂ）を架け渡し、ブーツ本体１の部位毎に足を締め付け自在にしているので、ブーツ本体１内部に挿入した足は下開閉部４ａの下ワイヤ６ａ及び上開閉部４ｂの上ワイヤ６ｂによって別々にブーツ本体１に固定されるのであり、足の部位によって異なる足のブーツ本体１への必要固定強度に合わせて効率よく足をブーツ本体１に固定することができるといった利点がある。更に、下開閉部４ａの下ワイヤ６ａでブーツ本体１を締め付けると、ブーツ本体１内に挿入した足の踵をブーツ本体１内部の踵部分Ｅに強固に固定させることができ、また、上開閉部４ｂの上ワイヤ６ｂでブーツ本体を締め付けると、ブーツ本体内に挿入した足のすねをブーツ本体１内部の立ち上がり部Ｃに強固に固定させることができるので、ブーツ本体１への足の固定を効果的に行わせることができるといった利点がある。特に、足の踵のブーツ本体１の踵部分Ｅへの固定は、下ワイヤ６ａに加えて、くるぶし押さえ具２２によっても行われることから、特に強固に行うことができるのである。
【００４０】
ここで、図１１には、ステップインタイプのバインディング５０に本例のブーツを装着した状態図を示す。ステップインタイプのバインディング５０は、ボード上に固定された基台５１の上に上方から押し付けるようにブーツ本体１を載置したときに、ブーツ本体１のソール部Ｄと基台５１との間に設けられた締結具（図示せず）の締結により、ブーツ本体１のソール部Ｄと基台５１とがワンタッチで締結されるようになったものである。なお図中５２はブーツ本体１の立ち上がり部Ｃの背面に沿わせるハイバックである。このステップインタイプのバインディング５０にあっては、従来のバインディング４０（図１７参照）にあるストラップ４１，４２は備えていないものであって、ブーツとボードとの装着は強固に行えるも踵のボードへの強固な固定は行えないという問題を有している。しかしながら、本例のブーツにあってはブーツを履いた時点でブーツ本体１と踵との強固な固定が行われることから、ステップインタイプのバインディング５０を介してブーツ本体１をボードに固定したときにも、踵とボードとの固定を強固に為すことができるのである。したがって、本例のブーツをステップインタイプのバインディング５０を介してボードに固定するようにすると、ステップインタイプのバインディング５０の短所であった足とボードとの一体性の欠如といった問題は無くなり、該バインディング５０の長所である足（ブーツ）のボードへの良好な装着性のみを引き出すことができるのであって、つまり、競技者は、ブーツのボードへの装着にかかる煩雑さを感じることなく且つ思いのままにボードを操ることもできるのであり、スノーボードを快適に楽しむことができるようになるのである。
【００４１】
また、図１２乃至図１６に本発明の実施の形態の他例を示す。この例は、先の実施の形態の例におけるアウターブーツ２はそのままに、インナーブーツ３を変更した例である。つまり、本例のインナーブーツ３は、アウターブーツ２のように、甲部Ｂから立ち上がり部Ｃに亙って切り込み部３０を設け、この切り込み部３０にワイヤ３１で構成せる索条体を架け渡し、このワイヤ３１の締め付けによって切り込み部３０を閉じるようにして、インナーブーツ３に挿入した足を締め付け得るようにしたものである。なお、このワイヤ３１としては、長さ方向の両端を自由端とし、この自由端をワイヤ巻取り装置３５に巻回することでインナーブーツ３の締め付けが行われるものを用いている。ここで、ワイヤ巻取り装置３５は、先の実施の形態の例と同構造のものを用いると共に、インナーブーツ３の切り込み部３０の内部に設けたタン３２の上端部分に設置されており、アウターブーツ２内にインナーブーツ３を挿着した状態でブーツ本体１の外方に露出するようにされている。なお、上記タン３２の外面には適所に連結具３３が取り付けられ、切り込み部３０に架け渡されたワイヤ３１を上記連結具３３に貫通させ、ワイヤ３１を締め付けたときにタン３２も上記ワイヤ３１に連動してインナーブーツ３に挿入した足を締め付け得るようにされている。なお、本例のワイヤ３１は、図１４に示すように、切り込み部３０の側縁に沿う部分では、管状の折り返し具１３によってインナーブーツ３内に埋設され、切り込み部３０の側縁間に架け渡される部分で外方に露出されるように配線されている。このようにワイヤ３１は切り込み部３０の側縁の広い部分に沿うように配線されているので、ワイヤ３１により閉められる切り込み部３０を略均一に閉め得るようにされている。なお、タン３２の上縁における左右の両端部分にはインナーブーツ３の上縁部分に引っ掛け固定するフック３４がそれぞれ設けられている。このフック３４によると、図１５に示すように、ワイヤ３１で締め付けたインナーブーツ３の形状を仮保持でき、ブーツの使い勝手を向上させることができる。
【００４２】
このように、本例のブーツはアウターブーツ２に設けたワイヤ６に加えて、インナーブーツ３に設けたワイヤ３１によっても、ブーツ本体１内に挿入した足を固定させることができるものであり、先の実施の形態の例のブーツに比べ、インナーブーツ３に設けたワイヤ３１が足を締め付ける分、足を強固にブーツ本体１に固定させることができるようになっているのである。
【００４３】
また、図示はしないが、上記例のインナーブーツの切り込み部を開閉部とし、アウターブーツの開閉部を切り込み部とするように、構造を逆にするようにしてもよい。つまり、インナーブーツの甲部から立ち上がり部の上端に至る部分に開閉部を形成し、インナーブーツの開閉部の下開閉部及び上開閉部にそれぞれ別個の索条体（ワイヤ）を架け渡してインナーブーツを締め付け自在にし、また、アウターブーツの甲部から立ち上がり部の上端に至る部分に切り込み部を形成し、この切り込み部に索条体（ワイヤ）を架け渡してアウターブーツを締め付け自在にすることも好ましいのである。これによっても上記例同様、アウターブーツ及びインナーブーツの各ブーツ毎に足の締め付けが行え、足を強固にブーツ本体に固定させることができるのである。
【００４４】
また、上述した実施の形態の各例では、索条体にワイヤ６，３１を用いたものを例示したが、索条体としては、その全てをワイヤ６，３１で構成せず、索条体の自由端部分をワイヤ６，３１で構成してワイヤ巻取り装置７，３５で巻取りができるようにしておけば、必要に応じて可撓性有するひもなどを部分的に用いるようにしてもよいのは言うまでもない。
【００４５】
【発明の効果】
上記のように本発明の請求項１記載の発明にあっては、叙述したように、ブーツ本体の甲部から立ち上がり部の上端に至る部分に開閉部を形成し、この開閉部の甲部の部位を下開閉部とすると共に、開閉部の立ち上がり部の部位を上開閉部とし、下開閉部及び上開閉部にそれぞれ別個の索条体を架け渡してブーツ本体を締め付け自在にしたので、ブーツ本体内部に挿入した足は下開閉部の索条体及び上開閉部の索条体によって別々にブーツ本体に固定するようにでき、足の部位によって異なる足のブーツ本体への必要固定強度に合わせて効率よく足をブーツ本体に固定することができるのであり、また、ブーツ本体内部の踵部分の両側にそれぞれ下フックを設けて、下開閉部の索条体を一方の下フックに引っ掛け、次いでブーツ本体の甲部に架け渡して他方の下フックに引っ掛けるようにし、ブーツ本体内部のふくらはぎ部分の両側にそれぞれ上フックを設け、上開閉部の索条体を一方の上フックに引っ掛け、次いでブーツ本体の立ち上がり部に架け渡して他方の上フックに引っ掛けるようにしたので、下開閉部の索条体でブーツ本体を締め付けたときにはブーツ本体内に挿入した足の踵をブーツ本体内部の踵部分に強固に固定でき、また、上開閉部の索条体でブーツ本体を締め付けると、ブーツ本体内に挿入した足のすねをブーツ本体内部のふくらはぎ部分に強固に固定できることから、足のすねや踵のブーツ本体への固定を強固に行わせることができるのであり、特に、ブーツを履いた時点で足の踵をブーツ本体に強固に固定できるので、ストラップを備えないステップインタイプのバインディングを介してブーツをボードに固定したときにも、足の踵をボードに強固に固定できるのであって、競技者は思いのままにボードを操ることができて快適にスノボードを楽しむことができるのである。
【００４６】
また、請求項２に記載の発明にあっては、請求項１の効果に加えて、各索条体をワイヤで構成し、このワイヤの一端をブーツ本体に固定すると共に、ワイヤの他端をブーツ本体に固定したワイヤ巻取り装置によって巻き取り自在にしたので、ワイヤを巻き取るといった簡単な操作で足のブーツ本体への固定を行わせることができ、競技者は足のブーツ本体への固定にかかる煩雑な思いをすることなく、快適にスノボードを楽しむことができるのである。
【００４７】
また、請求項３に記載の発明にあっては、請求項１の効果に加えて、上記ワイヤ巻取り装置を、ワイヤの自由端を保持して巻き付ける巻胴部と、巻胴部の回転方向をワイヤの巻取り方向の一方向に規制するラチェット機構と、巻胴部を回転操作するハンドルとを有して構成したので、上記構成を備えたワイヤ巻取り装置では、ハンドルを操作して巻胴部を回転させてワイヤを巻き取るのであるが、このとき巻胴部はラチェット機構によって戻り防止が施され、足のブーツ本体への確実な固定を維持できるのである。
【００４８】
また、請求項４に記載の発明にあっては、請求項１の効果に加えて、索条体がブーツ本体を締め付けたときにくるぶしを踵方向に押さえ付けるくるぶし押さえ具を、ブーツ本体内部に設けたので、索条体がブーツ本体を締め付けたときには、下開閉部の索条体に加えて、くるぶし押さえ具によっても、ブーツ本体内に挿入した足を踵方向に押さえ付けることができ、踵のブーツ本体への固定を更に強固に行わせることができるのである。
【００４９】
また、請求項５に記載の発明にあっては、請求項４の効果に加えて、くるぶし押さえ具の内部に下開閉部の索条体を挿通し、索条体がブーツ本体を締め付けたときにくるぶしを踵方向に押さえ付けるようにしたので、ブーツ本体を締め付けた索条体はブーツ本体の内方に向って位置をずらすようになるのであるが、くるぶし押さえ具も上記索条体に従って積極的にブーツ本体の内方に向って位置をずらすようにでき、くるぶし押さえ具のくるぶしへの押圧をより効果的に行わせることができるのである。
【００５０】
また、請求項６に記載の発明にあっては、請求項１の効果に加えて、ブーツ本体をアウターブーツにインナーブーツを内包して構成し、インナーブーツの甲部から立ち上がり部の上端に至る部分に切り込み部を形成し、この切り込み部に索条体を架け渡してインナーブーツを締め付け自在にし、アウターブーツの甲部から立ち上がり部の上端に至る部分に開閉部を形成し、アウターブーツの開閉部の下開閉部及び上開閉部にそれぞれ別個の索条体を架け渡してアウターブーツを締め付け自在にしたので、足のブーツ本体への固定が、アウターブーツの開閉部での索条体の締め付けに加えて、インナーブーツの切り込み部での索条体の締め付けによっても行え、足のブーツ本体への固定を更に強固に行わせることができるのである。
【図面の簡単な説明】
【図１】本発明の実施の形態の例のブーツであって、（ａ）は一部を切り欠いた右側面図であり、（ｂ）は一部を切り欠いた左側面図である。
【図２】同上のブーツの斜視図である。
【図３】同上のスタート具であり、（ａ）は半体を開いた状態の正面図であり、（ｂ）は半体を閉じた状態の正面図である。
【図４】同上の立ち上がり部近傍のブーツを正面から見た斜視図である。
【図５】同上の押圧部材（下押圧部材，上押圧部材）を示す斜視図である。
【図６】同上のくるぶし押さえ具の説明図である。
【図７】同上のワイヤ巻取り装置の一例の説明図である。
【図８】同上のワイヤ巻取り装置の他例の分解斜視図である。
【図９】同上のワイヤ巻取り装置の動作説明図である。
【図１０】同上のワイヤ巻取り装置のカバー体を省略した平面図であって、（ａ）は通常状態を示し、（ｂ）はハンドルを全開にした状態を示す。
【図１１】同上のブーツをステップインタイプのバインディングを介してボードに装着した状態を示す斜視図である。
【図１２】本発明の実施の形態の他例のブーツの斜視図である。
【図１３】同上のインナーブーツの斜視図である。
【図１４】同上のワイヤの配線の説明図である。
【図１５】同上のフックを説明する説明図である。
【図１６】同上のブーツをステップインタイプのバインディングを介してボードに装着した状態を示す斜視図である。
【図１７】従来のブーツをストラップを備えたバインディングを介してボードに装着した状態を示す斜視図である。
【符号の説明】
１　ブーツ本体
２　アウターブーツ
３　インナーブーツ
４　開閉部
４ａ　下開閉部
４ｂ　上開閉部
６　ワイヤ
６ａ　下ワイヤ
６ｂ　上ワイヤ
７　ワイヤ巻取り装置
１７　下フック
１８　上フック
Ａ　つま先部
Ｂ　甲部
Ｃ　立ち上がり部
Ｄ　ソール部
Ｅ　踵部分
Ｆ　ふくらはぎ部分
【図１】
2004041666.tif 000003
【図２】
2004041666.tif 000004
【図３】
2004041666.tif 000005
【図４】
2004041666.tif 000006
【図５】
2004041666.tif 000007
【図６】
2004041666.tif 000008
【図７】
2004041666.tif 000009
【図８】
2004041666.tif 000010
【図９】
2004041666.tif 000011
【図１０】
2004041666.tif 000012
【図１１】
2004041666.tif 000013
【図１２】
2004041666.tif 000014
【図１３】
2004041666.tif 000015
【図１４】
2004041666.tif 000016
【図１５】
2004041666.tif 000017
【図１６】
2004041666.tif 000018
【図１７】
2004041666.tif 000019